【手続補正書】
【提出日】平成26年1月14日(2014.1.14)
【手続補正１】
【補正対象書類名】特許請求の範囲
【補正対象項目名】全文
【補正方法】変更
【補正の内容】
【特許請求の範囲】
【請求項１】
複数の下りリンクコンポーネントキャリアを使用して基地局装置と通信する移動局装置であって、
前記複数の下りリンクコンポーネントキャリアのうちの少なくとも第１の下りリンクコンポーネントキャリアにおいて、物理下りリンク制御チャネルのデコードを試みる手段と、
対応する１つの物理下りリンク制御チャネルを検出することによって指示された、前記第１の下りリンクコンポーネントキャリア以外の第２の下りリンクコンポーネントキャリアにおける１つの物理下りリンク共用チャネルでの送信に対して、第１の物理上りリンク制御チャネルリソースを使用して、ＨＡＲＱにおける制御情報を前記基地局装置へ送信する手段と、
対応する１つの物理下りリンク制御チャネルを検出することによって指示された、前記第１の下りリンクコンポーネントキャリアのみにおける１つの物理下りリンク共用チャネルでの送信に対して、第２の物理上りリンク制御チャネルリソースを使用して、ＨＡＲＱにおける制御情報を前記基地局装置へ送信する手段と、を備える、
ことを特徴とする移動局装置。
【請求項２】
複数の下りリンクコンポーネントキャリアを使用して基地局装置と通信する移動局装置であって、
前記複数の下りリンクコンポーネントキャリアのうちの少なくとも第１の下りリンクコンポーネントキャリアにおいて、物理下りリンク制御チャネルのデコードを試みる手段と、
対応する１つの物理下りリンク制御チャネルを検出することによって指示された、前記第１の下りリンクコンポーネントキャリア以外の第２の下りリンクコンポーネントキャリアにおける１つの物理下りリンク共用チャネルでの送信に対して、物理上りリンク制御チャネルの第１のフォーマットを使用して、ＨＡＲＱにおける制御情報を前記基地局装置へ送信する手段と、
対応する１つの物理下りリンク制御チャネルを検出することによって指示された、前記第１の下りリンクコンポーネントキャリアのみにおける１つの物理下りリンク共用チャネルでの送信に対して、物理上りリンク制御チャネルの第２のフォーマットを使用して、ＨＡＲＱにおける制御情報を前記基地局装置へ送信する手段と、を備える、
ことを特徴とする移動局装置。
【請求項３】
前記第１の下りリンクコンポーネントキャリアは、前記移動局装置がＨＡＲＱにおける制御情報を物理上りリンク制御チャネルを使用して送信する上りリンクコンポーネントキャリアに対応する下りリンクコンポーネントキャリアである、
ことを特徴とする請求項１または請求項２に記載の移動局装置。
【請求項４】
前記第１の下りリンクコンポーネントキャリアは、前記移動局装置が前記基地局装置との初期接続を実行した下りリンクコンポーネントキャリアである、
ことを特徴とする請求項１または請求項２に記載の移動局装置。
【請求項５】
前記第１の下りリンクコンポーネントキャリアは、ＲＲＣシグナリングを使用して前記基地局装置によって指示される、
ことを特徴とする請求項１または請求項２に記載の移動局装置。
【請求項６】
前記ＨＡＲＱにおける制御情報は、下りリンクトランスポートブロックに対するＡＣＫ／ＮＡＣＫを示す情報を含む、
ことを特徴とする請求項１から請求項５のいずれかに記載の移動局装置。
【請求項７】
複数の下りリンクコンポーネントキャリアを使用して移動局装置と通信する基地局装置であって、
前記複数の下りリンクコンポーネントキャリアのうちの少なくとも第１の下りリンクコンポーネントキャリアにおいて、物理下りリンク制御チャネルを使用して、下りリンク制御情報を前記移動局装置へ送信する手段と、
対応する１つの物理下りリンク制御チャネルを使用することによってスケジュールした、前記第１の下りリンクコンポーネントキャリア以外の第２の下りリンクコンポーネントキャリアにおける１つの物理下りリンク共用チャネルでの送信に対して、第１の物理上りリンク制御チャネルリソースを使用して、ＨＡＲＱにおける制御情報を前記移動局装置から受信する手段と、
対応する１つの物理下りリンク制御チャネルを使用することによってスケジュールした、前記第１の下りリンクコンポーネントキャリアのみにおける１つの物理下りリンク共用チャネルでの送信に対して、第２の物理上りリンク制御チャネルリソースを使用して、ＨＡＲＱにおける制御情報を前記移動局装置から受信する手段と、を備える、
ことを特徴とする基地局装置。
【請求項８】
複数の下りリンクコンポーネントキャリアを使用して移動局装置と通信する基地局装置であって、
前記複数の下りリンクコンポーネントキャリアのうちの少なくとも第１の下りリンクコンポーネントキャリアにおいて、物理下りリンク制御チャネルを使用して、下りリンク制御情報を前記移動局装置へ送信する手段と、
対応する１つの物理下りリンク制御チャネルを使用することによってスケジュールした、前記第１の下りリンクコンポーネントキャリア以外の第２の下りリンクコンポーネントキャリアにおける１つの物理下りリンク共用チャネルでの送信に対して、物理上りリンク制御チャネルの第１のフォーマットを使用して、ＨＡＲＱにおける制御情報を前記移動局装置から受信する手段と、
対応する１つの物理下りリンク制御チャネルを使用することによってスケジュールした、前記第１の下りリンクコンポーネントキャリアのみにおける１つの物理下りリンク共用チャネルでの送信に対して、物理上りリンク制御チャネルの第２のフォーマットを使用して、ＨＡＲＱにおける制御情報を前記移動局装置から受信する手段と、を備える、
ことを特徴とする基地局装置。
【請求項９】
前記第１の下りリンクコンポーネントキャリアは、前記移動局装置がＨＡＲＱにおける制御情報を物理上りリンク制御チャネルを使用して送信する上りリンクコンポーネントキャリアに対応する下りリンクコンポーネントキャリアである、
ことを特徴とする請求項７または請求項８に記載の基地局装置。
【請求項１０】
前記第１の下りリンクコンポーネントキャリアは、前記移動局装置が前記基地局装置との初期接続を実行した下りリンクコンポーネントキャリアである、
ことを特徴とする請求項７または請求項８に記載の基地局装置。
【請求項１１】
前記第１の下りリンクコンポーネントキャリアを、ＲＲＣシグナリングを使用して前記移動局装置へ指示する、
ことを特徴とする請求項７または請求項８に記載の基地局装置。
【請求項１２】
前記ＨＡＲＱにおける制御情報は、下りリンクトランスポートブロックに対するＡＣＫ／ＮＡＣＫを示す情報を含む、
ことを特徴とする請求項７から請求項１１のいずれかに記載の基地局装置。
【請求項１３】
複数の下りリンクコンポーネントキャリアを使用して基地局装置と通信する移動局装置の通信方法であって、
前記複数の下りリンクコンポーネントキャリアのうちの少なくとも第１の下りリンクコンポーネントキャリアにおいて、物理下りリンク制御チャネルのデコードを試み、
対応する１つの物理下りリンク制御チャネルを検出することによって指示された、前記第１の下りリンクコンポーネントキャリア以外の第２の下りリンクコンポーネントキャリアにおける１つの物理下りリンク共用チャネルでの送信に対して、第１の物理上りリンク制御チャネルリソースを使用して、ＨＡＲＱにおける制御情報を前記基地局装置へ送信し、
対応する１つの物理下りリンク制御チャネルを検出することによって指示された、前記第１の下りリンクコンポーネントキャリアのみにおける１つの物理下りリンク共用チャネルでの送信に対して、第２の物理上りリンク制御チャネルリソースを使用して、ＨＡＲＱにおける制御情報を前記基地局装置へ送信する、
ことを特徴とする通信方法。
【請求項１４】
複数の下りリンクコンポーネントキャリアを使用して基地局装置と通信する移動局装置の通信方法であって、
前記複数の下りリンクコンポーネントキャリアのうちの少なくとも第１の下りリンクコンポーネントキャリアにおいて、物理下りリンク制御チャネルのデコードを試み、
対応する１つの物理下りリンク制御チャネルを検出することによって指示された、前記第１の下りリンクコンポーネントキャリア以外の第２の下りリンクコンポーネントキャリアにおける１つの物理下りリンク共用チャネルでの送信に対して、物理上りリンク制御チャネルの第１のフォーマットを使用して、ＨＡＲＱにおける制御情報を前記基地局装置へ送信し、
対応する１つの物理下りリンク制御チャネルを検出することによって指示された、前記第１の下りリンクコンポーネントキャリアのみにおける１つの物理下りリンク共用チャネルでの送信に対して、物理上りリンク制御チャネルの第２のフォーマットを使用して、ＨＡＲＱにおける制御情報を前記基地局装置へ送信する、
ことを特徴とする通信方法。
【請求項１５】
複数の下りリンクコンポーネントキャリアを使用して移動局装置と通信する基地局装置の通信方法であって、
前記複数の下りリンクコンポーネントキャリアのうちの少なくとも第１の下りリンクコンポーネントキャリアにおいて、物理下りリンク制御チャネルを使用して、下りリンク制御情報を前記移動局装置へ送信し、
対応する１つの物理下りリンク制御チャネルを使用することによってスケジュールした、前記第１の下りリンクコンポーネントキャリア以外の第２の下りリンクコンポーネントキャリアにおける１つの物理下りリンク共用チャネルでの送信に対して、第１の物理上りリンク制御チャネルリソースを使用して、ＨＡＲＱにおける制御情報を前記移動局装置から受信し、
対応する１つの物理下りリンク制御チャネルを使用することによってスケジュールした、前記第１の下りリンクコンポーネントキャリアのみにおける１つの物理下りリンク共用チャネルでの送信に対して、第２の物理上りリンク制御チャネルリソースを使用して、ＨＡＲＱにおける制御情報を前記移動局装置から受信する、
ことを特徴とする通信方法。
【請求項１６】
複数の下りリンクコンポーネントキャリアを使用して移動局装置と通信する基地局装置の通信方法であって、
前記複数の下りリンクコンポーネントキャリアのうちの少なくとも第１の下りリンクコンポーネントキャリアにおいて、物理下りリンク制御チャネルを使用して、下りリンク制御情報を前記移動局装置へ送信し、
対応する１つの物理下りリンク制御チャネルを使用することによってスケジュールした、前記第１の下りリンクコンポーネントキャリア以外の第２の下りリンクコンポーネントキャリアにおける１つの物理下りリンク共用チャネルでの送信に対して、物理上りリンク制御チャネルの第１のフォーマットを使用して、ＨＡＲＱにおける制御情報を前記移動局装置から受信し、
対応する１つの物理下りリンク制御チャネルを使用することによってスケジュールした、前記第１の下りリンクコンポーネントキャリアのみにおける１つの物理下りリンク共用チャネルでの送信に対して、物理上りリンク制御チャネルの第２のフォーマットを使用して、ＨＡＲＱにおける制御情報を前記移動局装置から受信する、
ことを特徴とする通信方法。